(57)【要約】【課題】      ハンドルノブ本体の複数の部位の組み替えで工具を使用しないで構成する魚釣用リ−ルのハンドルを提供することである。【解決手段】  ハンドルノブ本体Ａは金属材や合成樹脂材で基部となる第１部位４と第２部位５と第３部位６と第４部位７で構成されて夫々ネジ部で連結されている。  第１部位４は中心に貫通孔４ａが形成されて外形は一端小径部４ｂから膨出して他端太径部４ｃとなっており、支軸３の軸部３ｃに第１部位４の貫通孔４ａが回転可能に挿通されてビス１２で抜け止めされている。  第２部位５と第３部位６は同形で、外径は第１部位４の他端太径部４ｃと同径になっており、第４部位７の外径は第１部位４の他端太径部４ｃと第２部位５と第３部位６の筒部５ｄ、６ｄの外径と同径で他端は曲面７ｄに形成されている。【選択図】        図３
2007222005.tif 000002
【特許請求の範囲】
【請求項１】
ハンドルア−ムの側面に突出した支軸の外周にハンドルノブを回転可能に取り付けた魚釣用リ−ルのハンドルにおいて、ハンドルノブ本体は、複数の部位で着脱可能に分割構成されており、いずれかの複数の部位を組み替えることでハンドルノブ本体の構成を変更可能としたことを特徴とする魚釣用リ−ルのハンドル。
【発明の詳細な説明】
【技術分野】
【０００１】
本件発明は、スプ−ルに釣糸を巻き上げる魚釣用リ−ルのハンドルに関する。
【背景技術】
【０００２】
従来、リ−ル本体に回転可能に取り付けられたハンドルを回転操作することでリ−ル本体に支持されたスプ−ルに釣糸を巻回保持する各種の魚釣用リ−ルが知られており、通常、前記ハンドルは、ハンドル軸に固定されたハンドルア−ムの端部に握持用のハンドルノブを回転可能に取り付けた構成となっている。
上記魚釣用リ−ルは、対象魚に合わせてリ−ルの種類やサイズを変更し、その際、最適と思われるハンドルノブを組み付けた状態で販売するが、リ−ルを購入する釣人の手の大きさは千差万別であり、個々に応じて最適なものを１つの形状で対応させるのが困難な状況となっている。
そこで、近年においては、ハンドルノブをハンドルア−ムに対して分解可能な構成とし、種々のハンドルノブを揃えておき、釣人が自分の好みや用途等に応じてハンドルノブを購入し、組み替えできる手法が広く行われている。
しかし、上記のようなハンドルノブを形状や大きさの変更が可能となるようにハンドルア−ムに対して分解可能な構成とした場合、内部に組み込まれた軸受やネジ等を紛失する恐れがあり、紛失してしまうとハンドルノブが最適に機能しなくなるという問題があった。
そこで、大きさや形状が異なるカバ−体をハンドルノブ自体に装着させて、ハンドルノブを分解することなく、好みや用途等に応じたハンドルを提供したものが特許文献１で知られている。
【特許文献１】特開２００２−３３５８３１号公報
【発明の開示】
【発明が解決しようとする課題】
【０００３】
解決しようとする問題点は、特許文献１に見られる構成の魚釣用リ−ルのハンドルは、リ−ルの購入時に組み付けているハンドルノブにカバ−体を装着させるので、購入時のハンドルノブより形状を小さくすることができず、形状変更の自由度が小さい、カバ−体をネジ止め固定しているので変更時に工具が必要となる、ネジを紛失する恐れがある、という問題がある。
【０００４】
本発明の目的は前記欠点に鑑み、ハンドルノブ本体の複数の部位の組み替えで工具を使用しないで構成する魚釣用リ−ルのハンドルを提供することである。
【課題を解決するための手段】
【０００５】
本発明の請求項１は、ハンドルア−ムの側面に突出した支軸の外周にハンドルノブを回転可能に取り付けた魚釣用リ−ルのハンドルにおいて、ハンドルノブ本体は、複数の部位で着脱可能に分割構成されており、いずれかの複数の部位を組み替えることでハンドルノブ本体の構成を変更可能としたことを要旨とするものである。
【発明の効果】
【０００６】
本発明の請求項１によれば、ハンドルア−ムの支軸に回転可能に取り付けたハンドルノブ本体は、複数の部位で着脱可能に分割構成されており、いずれかの複数の部位を組み替えることでハンドルノブ本体の構成を変更可能としたので、リ−ルの購入時に組み付いているハンドルノブの形状を容易に変更することが可能となり、釣人の好みや用途等に応じた形状変更の自由度がアップする。
また、分割構成された各々のハンドルノブ本体に接続固定部（ネジ部、係合部）が形成されているため、工具を用いることなく容易にハンドルノブ本体の形状変更が可能になる。
更に、分割構成された各々のハンドルノブ本体の外周面に色彩の異なる処理を施すことによって好みに応じた外観が選択可能になると共に、各々のハンドルノブ本体の外周面に粗面処理や溝形状や弾性部材を設けることによってハンドルノブ本体を握持した際のグリップ力が向上し、より快適な巻き取り操作性を実現することができる。
【発明を実施するための最良の形態】
【０００７】
ハンドルノブ本体Ａは金属材や合成樹脂材で基部となる第１部位４と第２部位５と第３部位６と第４部位７で構成されている。
第１部位４は中心に貫通孔４ａが形成されて外形は一端小径部４ｂから膨出して他端太径部４ｃとなり、他端太径部４ｃの端面に凹部４ｄが形成されて凹部４ｄ内周に雌ネジ部４ｅが形成されている。
支軸３の軸部３ｃに第１部位４の貫通孔４ａが回転可能に挿通されてビス１２で抜け止めされている。
第２部位５と第３部位６は同形で、外径は第１部位４の他端太径部４ｃと同径で一端に段部で小径部５ａ、６ａと凹部５ｂ、６ｂが形成されて小径部５ａ、６ａ外周に雄ネジ部５ｃ、６ｃが形成されている。
第２部位５と第３部位６の他端に外径と同形の筒部５ｄ、６ｄが形成されて筒部５ｄ、６ｄ内周に雌ネジ部５ｅ、６ｅが形成されている。
第４部位７の外径は第１部位４の他端太径部４ｃと第２部位５と第３部位６の筒部５ｄ、６ｄの外径と同径で一端に段部で小径部７ａと凹部７ｂが形成されて小径部７ａ外周に雄ネジ部７ｃが形成されている。
他端は曲面７ｄに形成されて曲面７ｄの中心に硬貨等の円板を挿入する溝７ｅが形成されている。
【実施例１】
【０００８】
以下、図面を参照しつつ本発明について説明する。
魚釣用リ−ルを魚釣用スピニングリ−ルで述べると、図１から図５は第１実施例で、図１は魚釣用スピニングリ−ルの側面図、図２は４個の部位を連結した状態を示すハンドルノブ本体の側面図、図３は４個の部位を連結した状態を示すハンドルノブ本体の断面側面図、図４は３個の部位を連結した状態を示すハンドルノブ本体の断面側面図、図５は２個の部位を連結した状態を示すハンドルノブ本体の断面側面図である。
【０００９】
魚釣用スピニングリ−ルは、リ−ル本体１とリ−ル本体１の前部に回転可能に設けられたロ−タ１０とロ−タ１０の前側に前後に往復動可能に設けられたスプ−ル１１とリ−ル本体１の側部に突出した図示しないハンドル軸に取り付けられたハンドルア−ム２に取り付けられたハンドルノブ本体Ａで構成されてスプ−ル１１に釣糸が巻回される方向にハンドルノブ本体Ａを握って回転されるとロ−タ１０が回転されて釣糸がスプ−ル１１に巻回される。
図示しないハンドル軸はリ−ル本体１に左右交換可能に挿着されている。
ハンドルア−ム２の端部２ａの透孔２ｂに支軸３の一端３ａが嵌合されてカシメ固定され、ハンドルア−ム２の外側側面２ｃ側に突出されている。
支軸３の一端３ａ側に鍔部３ｂが形成され、軸部３ｃの他端３ｄにネジ孔３ｅが形成されている。
【００１０】
ハンドルノブ本体Ａは金属材や合成樹脂材で基部となる第１部位４と第２部位５と第３部位６と第４部位７で構成されている。
第１部位４は中心に貫通孔４ａが形成されて外形は一端小径部４ｂから膨出して他端太径部４ｃとなり、他端太径部４ｃの端面に凹部４ｄが形成されて凹部４ｄ内周に雌ネジ部４ｅが形成されている。
支軸３の軸部３ｃに第１部位４の貫通孔４ａが回転可能に挿通されてビス１２で抜け止めされている。
第２部位５と第３部位６は同形で、外径は第１部位４の他端太径部４ｃと同径で一端に段部で小径部５ａ、６ａと凹部５ｂ、６ｂが形成されて小径部５ａ、６ａ外周に雄ネジ部５ｃ、６ｃが形成されている。
第２部位５と第３部位６の他端に外径と同径の筒部５ｄ、６ｄが形成されて筒部５ｄ、６ｄ内周に雌ネジ部５ｅ、６ｅが形成されている。
第４部位７の外径は第１部位４の他端太径部４ｃと第２部位５と第３部位６の筒部５ｄ、６ｄの外径と同径で一端に段部で小径部７ａと凹部７ｂが形成されて小径部７ａ外周に雄ネジ部７ｃが形成されている。
他端は曲面７ｄに形成されて曲面７ｄの中心に硬貨等の円板を挿入する溝７ｅが形成されている。
【００１１】
図２、図３では第２部位５の雄ネジ部５ｃは第１部位４の雌ネジ部４ｅに螺合されている。
第３部位６の雄ネジ部６ｃは第２部位５の雌ネジ部５ｅに螺合されている。
第４部位７の雄ネジ部７ｃは第３部位６の雌ネジ部６ｅに螺合されている。
図４では第１部位４に第２部位５が連結され、第２部位５に第４部位７が連結されている。
図５では第１部位４に第４部位７が連結されている。
【００１２】
前記のように魚釣用リ−ルのハンドルが構成されると、ハンドルア−ム２の支軸３に回転可能に取り付けたハンドルノブ本体Ａは、複数の部位４、５、６、７で着脱可能に分割構成されており、いずれかの複数の部位を組み替えることでハンドルノブ本体Ａの構成を変更可能としたので、リ−ルの購入時に組み付いているハンドルノブの形状を容易に変更することが可能となり、釣人の好みや用途等に応じた形状変更の自由度がアップする。
また、分割構成された各々のハンドルノブ本体Ａに接続固定部（ネジ部、係合部）が形成されているため、工具を用いることなく容易にハンドルノブ本体Ａの形状変更が可能になる。
更に、分割構成された各々のハンドルノブ本体Ａの外周面に色彩の異なる処理を施すことによって好みに応じた外観が選択可能になる。
【実施例２】
【００１３】
図６は第２実施例で、図６は４個の部位を連結した状態を示すハンドルノブ本体の一部断面側面図である。
【００１４】
第２実施例では、ハンドルノブ本体Ａが第１実施例と同形の第１部位４と第２部位５と第３部位６と第４部位７で構成されている。
第２部位５の外周に幅広く浅い周溝５ｆが形成されて弾性部材からなるリング１３が嵌め込まれている。
第３部位６の外周に周溝６ｆが形成されて弾性部材からなるＯリング１４が嵌め込まれている。
他の構成は前記第１実施例と同様であるため、それらの説明は省略する。
【００１５】
第２実施例のように魚釣用リ−ルのハンドルが構成されると、ハンドルア−ム２の支軸３に回転可能に取り付けたハンドルノブ本体Ａの各々の部位の外周面に弾性部材を設けることによって、ハンドルノブ本体Ａを握持した際のグリップ力が向上し、より快適な巻き取り操作性を実現することができる。
【実施例３】
【００１６】
図７は第３実施例で、図７は４個の部位を連結した状態を示すハンドルノブ本体の側面図である。
【００１７】
第３実施例では、ハンドルノブ本体Ａが第１実施例と同形の第１部位４と第２部位５と第３部位６と第４部位７で構成されている。
第１部位４と第４部位７の外周面には凹凸の粗面処理が施されている。
第２部位５の外周面には軸線方向に複数の凹凸溝５ｇが形成されている。
第３部位６の外周面には周方向に複数の凹凸溝６ｇが形成されている。
他の構成は前記第１実施例と同様であるため、それらの説明は省略する。
【００１８】
第３実施例のように魚釣用リ−ルのハンドルが構成されると、ハンドルア−ム２の支軸３に回転可能に取り付けたハンドルノブ本体Ａの各々の部位の外周面に粗面処理や溝形状を設けることによって、ハンドルノブ本体Ａを握持した際のグリップ力が向上し、より快適な巻き取り操作性を実現することができる。
【実施例４】
【００１９】
図８は第４実施例で、図８は３個の部位を連結した状態を示すハンドルノブ本体の断面側面図である。
【００２０】
第４実施例では、ハンドルノブ本体Ａが第１部位４′と第２部位５′と第５部位８で構成されている。
第１部位４′は中心に貫通孔４ａが形成されて外形は一端小径部４ｂから膨出して他端中径部４ｆとなり、他端中径部４ｆの端面に凹部４ｇが形成されて凹部４ｇ内周に雌ネジ部４ｈが形成されている。
支軸３の軸部３ｃに第１部位４′の貫通孔４ａが回転可能に挿通されてビス１２で抜け止めされている。
第２部位５′は外径が第１部位４′の他端中径部４ｆと同径で一端に段部で小径部５ｈと凹部５ｉが形成されて小径部５ｈの外周に雄ネジ部５ｊが形成されている。
第２部位５′の他端に外径と同径の筒部５ｋが形成されて筒部５ｋの内周に雌ネジ部５ｍが形成されている。
第５部位８は第１部位４′と第２部位５′の外周をＴ字形の軸部とするとＴ字形の頭部となるように棒状部８ａが形成され、棒状部８ａの一端に短い支柱８ｂが突出されて外周に雄ネジ部８ｃが形成されている。
棒状部８ａの横断面形状は丸形でも三角形、他の持ち易い形状であればよい。
第１部位４′の雌ネジ部４ｈには第２部位５′の雄ネジ部５ｊが螺合され、第２部位５′の雌ネジ部５ｍに第５部位８の雄ネジ部８ｃが螺合される。
図８では第１部位４′と第５部位８の間に１個の第２部位５′を連結したが、第２部位５′は省略したり２個としてもよい。
【実施例５】
【００２１】
図９は第５実施例で、図９は４個の部位を連結した状態を示すハンドルノブ本体の断面側面図である。
【００２２】
第５実施例では、第１実施例の第１部位４が２分割されて第１部位９と第１部位４″となっている。
ハンドルノブ本体Ａは第１部位９と第１部位４″と第２部位５と第４部位７で構成されている。
第２部位５と第４部位７は第１実施例と同様の構成である。
第１部位９は略円柱状で円柱部９ａの他側外周に雄ネジ部９ｂが形成されている。
支軸３の軸部３ｃに第１部位９の貫通孔９ｃが回転可能に挿通されると共に両端に凹部９ｄ、９ｅが形成されて軸受１５、１６が嵌合されてビス１２で抜け止めされている。
第１部位４″は中心に軸方向に深い凹部４ｉと鍔部４ｊが形成されて凹部４ｉ内周に雌ネジ部４ｋが形成されている。
第１部位４″の外形は一端小径部４ｍから膨出して他端太径部４ｎとなり、他端太径部４ｎに端面に凹部４ｏが形成されて凹部４ｏ内周に雌ネジ部４ｐが形成されている。
【００２３】
第１部位９の雄ネジ部９ｂに第１部位４″の雌ネジ部４ｋが螺合されている。
第１部位４″の雌ネジ部４ｐに第２部位５の雄ネジ部５ｃが螺合されている。
第２部位５の雌ネジ部５ｅに第４部位７の雄ネジ部７ｃが螺合されている。
【実施例６】
【００２４】
図１０は第６実施例で、図１０は３個の部位を分解した状態を示すハンドルノブ本体の一部断面側面図である。
【００２５】
第６実施例では、第１部位４と第２部位５と第６部位７′が螺合による連結に変えて断面半球状の係合部で連結されている。
第１部位４の他端太径部４ｃの端面に凹部４ｄが形成されて凹部４ｄ内周に断面半球状の係合凹部４ｑが形成されている。
第２部位５の外径は第１部位４の他端太径部４ｃと同径で一端に周方向に複数の突片５ｎが形成されて突片５ｎの径方向外側に断面半球状の係合突部５ｏが形成されている。
第２部位５の他端に外径と同径の筒部５ｄが形成されて筒部５ｄの内周に断面半球状の係合凹部５ｐが形成されている。
第６部位７′の外径は第１部位４の他端太径部４ｃと第２部位５の筒部５ｄの外径と同径で一端に周方向に複数の突片７ｄが形成されて突片７ｄの径方向外側に断面半球状の係合突部７ｅが形成されている。
他の構成は前記第１実施例と同様であるため、それらの説明は省略する。
【００２６】
第１部位４の断面半球状の係合凹部４ｑには第２部位５の断面半球状の係合突部５ｏが係合される。
第２部位５の断面半球状の係合凹部５ｐには第６部位７′の断面半球状の係合突部７ｅが係合される。
図１０では第１部位４と第６部位７′の間に１つの第２部位５を連結したが第２部位５を省略したり複数の第２部位５を連結してもよい。
【産業上の利用可能性】
【００２７】
前記説明では、魚釣用リ−ルを魚釣用スピニングリ−ルで述べたが、他の形式の魚釣用リ−ルに実施してもよい。
【図面の簡単な説明】
【００２８】
【図１】第１実施例で、魚釣用スピニングリ−ルの側面図である。
【図２】同４個の部位を連結した状態を示すハンドルノブ本体の側面図である。
【図３】同４個の部位を連結した状態を示すハンドルノブ本体の断面側面図である。
【図４】同３個の部位を連結した状態を示すハンドルノブ本体の断面側面図である。
【図５】同２個の部位を連結した状態を示すハンドルノブ本体の断面側面図である。
【図６】第２実施例で、４個の部位を連結した状態を示すハンドルノブ本体の一部断面側面図である。
【図７】実施例３で、４個の部位を連結した状態を示すハンドルノブ本体の側面図である。
【図８】実施例４で、３個の部位を連結した状態を示すハンドルノブ本体の断面側面図である。
【図９】実施例５で、４個の部位を連結した状態を示すハンドルノブ本体の断面側面図である。
【図１０】第６実施例で、３個の部位を分解した状態を示すハンドルノブ本体の一部断面側面図である。
【符号の説明】
【００２９】
Ａ  ハンドルノブ本体
２  ハンドルア−ム
２ｂ  側面
３  支軸
４、４′、４″、５、５′、６、７、７′、８、９  部位
【図１】
2007222005.tif 000003
【図２】
2007222005.tif 000004
【図３】
2007222005.tif 000005
【図４】
2007222005.tif 000006
【図５】
2007222005.tif 000007
【図６】
2007222005.tif 000008
【図７】
2007222005.tif 000009
【図８】
2007222005.tif 000010
【図９】
2007222005.tif 000011
【図１０】
2007222005.tif 000012